Podtech/llm-jp-corpus-v4-ja_patent huggingface dataset:
(57)【要約】      （修正有）【課題】透明な外箱体内部を、移動球を通過させる遊具立体迷路を提供する。【解決手段】透明な薄板材料による外箱体の内部を、透明な仕切板で前後、左右、上下に交差して仕切り、小部屋の集合状態を形成し、且つ該仕切板の随所に設けた丸孔を通路として、移動球を通過させる遊具において、上下の小部屋数を、前後及び左右の小部屋数より少なくして、外箱体形状を上下に少量扁平な直方体とし、更に外箱体の５面は一体に結合し、他の１面は四角形の少なくとも一対の相対する両端を直角に折り曲げて、５面端部と小ネジ２による取付けと、取り外しが可能な構造とした。【選択図】図１
0003231649.tif 000002
【実用新案登録請求の範囲】
【請求項１】
透明な薄板材料による外箱体の内部を、透明な仕切板で前後、左右、上下に交差して仕切り、小部屋の集合状態を形成し、且つ該仕切板の随所に設けた丸孔を通路として、移動球を通過させる遊具において、上下の小部屋数を、前後及び左右の小部屋数より少なくして、外箱体形状を上下に少量扁平な直方体とし、更に外箱体の５面は一体に結合し、他の１面は四角形の少なくとも一対の相対する両端を直角に折り曲げて、５面端部と小ネジによる取付けと、取り外しが可能な構造とした、遊具立体迷路。
【考案の詳細な説明】
【技術分野】
【０００１】  本考案は、透明な薄板材料による外箱体内部を、透明な仕切板で前後、左右、上下に交差して仕切り、且つ該仕切板の随所に設けた丸孔を通路として、移動球を通過させる遊具立体迷路に関するものである。
【背景技術】
【０００２】  従来の本方式遊具は外箱体の外形が立方体で、また外箱体の６面をそれぞれ別体として、各面を蝶番で結合し、必要時は該蝶番で解放と分離が可能な構成になっている。
【先行技術文献】
【０００３】
【特許文献１】実用新案登録第３０８１９７０号
【考案の概要】
【考案が解決しようとする課題】
【０００４】  従来の品を使用する場合、先ず立方体の外箱体を両手で支持して上方より下向きに見ると、上下の小部屋数が多く、奥深くて透視性が悪く、使用を開始するよりも躊躇する心が働く。
また内部の仕切り板組み換えなどの場合に、外箱体を全開または分解する事は余分な手間を必要とする。
【課題を解決するための手段】
【０００５】  本考案は外箱体内の小部屋の上下部屋数を、前後及び左右の部屋数より少なくして、外箱体を上下に少量扁平な直方体とし、また外箱体の５面を一体に形成し、他の一面は小ネジによる取付けや取り外しが可能な構造となっている。
【考案の効果】
【０００６】  本考案品を両手で支持し、上方より下向きの透視性が良いと、以後の使用を始める事に意欲が起き、操作を開始することができる。
また内部の仕切板組み換えなどの場合は、小ネジを外して外箱の５面体を取り除き、仕切板を組み換え、再び注意して５面体を被せ小ネジで底板に組み付ける事が簡単に出来る。
【図面の簡単な説明】
【０００７】
【図１】  本考案の遊具立体迷路の斜視図である。
【図２】  本考案の縦仕切板の斜視図である。
【図３】  本考案の横仕切板の斜視図である。
【図４】  本坑案の底板の斜視図である。追記    図１中の破線は、外箱体の手前側内面に接する仕切り板及び底板の縁線の状態を示す。
【考案を実施するための形態】
【０００８】  図１は本考案の実施例の斜視図、図２、図３、図４は本考案の実施例を分解した斜視図で、上下小部屋数３、前後小部屋数５、左右小部屋数５の構成で設定し、外箱体を取り外すと上端に縦仕切板、その下は横仕切板、さらにその下は交互に両仕切板で、下端は縦仕切板と配列し、また外箱体には移動球を挿入する開始孔（１）と、別の側に完了孔（４）を設ける。
尚仕切板には移動球を通過させる丸孔（３）を各々付属配置図の通り設け、且つ設定どおり配列されている。  また仕切板の組み換えは別の付属配置図を見て、現行の仕切板の裏返しや位置変更と予備品の補足で行う。
【実施例】
【０００９】  本考案品の使用法は、移動球を開始孔（１）に挿入し、外箱体を前後左右に傾斜して異動させ、上方への移動は、箱体を裏返しして行い、行き止まりは少し逆行し、周囲の丸孔（３）を確認しながら完走し、完了孔（４）を抜けると、達成感を満喫する事になる。
【符号の説明】
【００１０】（１）開始孔
（２）小ネジ
（３）丸孔
（４）完了孔
【図１】
0003231649.tif 000003
【図２】
0003231649.tif 000004
【図３】
0003231649.tif 000005
【図４】
0003231649.tif 000006
(57)【要約】【課題】カーテンレールの上に載置できる立体文字部を備えたお札立て具を提供する。【解決手段】お札立て具１は、ベース部１０と、ベース部１０に設けられた差し込み部２１と、ベース部１０に設けられ、文字が立体的に形成された立体文字部３０と、を備え、ベース部１０の下端部には、立体文字部３０の文字が向く側を正面として、カーテンレールＲ１，Ｒ２が左右方向に配置されるレール配置部４０が形成されており、カーテンレールＲ１，Ｒ２の上面部にレール配置部４０が当接する。【選択図】図１
0003231621.tif 000002
【実用新案登録請求の範囲】
【請求項１】
カーテンレール上に載置されるお札立て具であって、
ベース部と、
前記ベース部に設けられたお札立て部と、
前記ベース部に設けられ、文字が立体的に形成された立体文字部と、
を備え、
前記ベース部の下端部には、前記立体文字部の文字が向く側を正面として、当該カーテンレールが左右方向に配置されるレール配置部が形成されており、
前記カーテンレールの上面部に前記レール配置部が当接する
ことを特徴とするお札立て具。
【考案の詳細な説明】
【技術分野】
【０００１】
本考案は、カーテンレールの上に載置できるお札立て具に関する。
【背景技術】
【０００２】
従来、種々の神棚が提案されている。近年は住宅事情の変化により、コンパクトなものが求められるようになっている。例えば特許文献１に開示されている神棚のような願い事をデザイン化した装飾部を設けた紙垂を備えた神棚や、特許文献２に開示されている洋間の壁面に吊ることのできる壁掛け式洋風神棚等がある。
【先行技術文献】
【特許文献】
【０００３】
【特許文献１】実用新案登録第３２２６９４５号公報
【特許文献２】実用新案登録第３２０３５３７号公報
【考案の概要】
【考案が解決しようとする課題】
【０００４】
しかしながら、より一層、近年の住宅事情に合わせた神棚は求められている。
【０００５】
本考案は、近年の住宅事情に合わせ、カーテンレールの上に載置できる立体文字部を備えたお札立て具を提供することを目的とする。
【課題を解決するための手段】
【０００６】
本考案は、カーテンレール上に載置されるお札立て具であって、ベース部と、前記ベース部に設けられたお札立て部と、前記ベース部に設けられ、文字が立体的に形成された立体文字部と、を備え、前記ベース部の下端部には、前記立体文字部の文字が向く側を正面として、当該カーテンレールが左右方向に配置されるレール配置部が形成されており、前記カーテンレールの上面部に前記レール配置部が当接することを特徴とするお札立て具である。
【０００７】
かかる構成にあっては、カーテンレールの上に前記お札立て具を載置することができるため、室内空間において余計なスペースをとらない利点がある。
【考案の効果】
【０００８】
本考案にかかるお札立て具は、近年の住宅事情に合わせた神棚を提供することができる優れた効果がある。
【図面の簡単な説明】
【０００９】
【図１】実施例にかかるお札立て具をカーテンレールに載置した状態を示す斜視図である。
【図２】お札立て具をカーテンレールに載置した状態を示す斜視図であり、（ａ）は正面を上方から見た図であり、（ｂ）は背面を下方から見た図である。
【図３】実施例にかかるお札立て具を示し、（ａ）は正面図であり、（ｂ）は右側面図である。
【考案を実施するための形態】
【００１０】
以下に本考案を具体化した実施例を詳細に説明する。なお、本考案は、下記に示す実施例に限定されることはなく、適宜、設計変更が可能である。
【００１１】
図１、図２に示すように、お札立て具１は、並行する２本のカーテンレールＲ１，Ｒ２の上面部に載置される。
【００１２】
お札立て具１は、図１〜図３に示すように、木製の板部材を組み合わせて構成されており、左右方向に長い平板状のベース部１０を備えている。ベース部１０の上端部には、後述する正面側に開口した箱部２０が形成されている。箱部２０の上面部は一部が左右方向に沿って開口してお札等を差し込めるお札立て部としての差し込み部２１が形成されている。
【００１３】
また、ベース部１０の上端部における箱部２０の前側には、左右方向に沿ってお札等を立て掛けることのできるお札立て部としての溝部１１が形成されている。
【００１４】
前述の差し込み部２１及び溝部１１によってお札立て部が構成されている。
【００１５】
さらに、ベース部１０の上端部における溝部１１の前側には、「雲」の字を立体的にかたどった立体文字部３０が設けられている。
【００１６】
そして、ベース部１０の下端部には、立体文字部３０の文字が向く側を正面として、カーテンレールＲ１，Ｒ２が左右方向に通るレール配置部４０が形成されている。
【００１７】
さらに詳述すると、ベース部１０の下端部は、コの字状に窪んでおり、かつ溝深さ方向を鉛直上向きとする溝部分を有しており、当該溝部分がレール配置部４０とされている。そして、このレール配置部４０の長手方向が、カーテンレールＲ１，Ｒ２の長手方向となるように当該カーテンレールＲ１、Ｒ２の上面部にレール配置部４０が当接する。具体的には、レール配置部４０を構成する溝部分の溝壁がカーテンレールＲ１，Ｒ２の側面部に当接してお札立て具１がカーテンレールＲ１，Ｒ２上に位置決めされる。そしてこの状態で、差し込み部２１や溝部１１を用いて複数のお札５１，５２，５３を立て掛けることが可能となる。
【００１８】
上記実施例において、各部の寸法形状は適宜自由に選択可能である。
【００１９】
また、立体文字部３０にかたどられる文字は「雲」以外（例えば「東」など）であってもよく、また文字に加えて図柄が含まれていても構わない。また、立体文字部３０が複数配置されていても構わない。
【符号の説明】
【００２０】
１                お札立て具
１０              ベース部
１１              溝部（お札立て部）
２０              箱部
２１              差し込み部（お札立て部）
３０              立体文字部
４０              レール配置部
５１，５２，５３  お札
Ｒ１，Ｒ２        カーテンレール
【図１】
0003231621.tif 000003
【図２】
0003231621.tif 000004
【図３】
0003231621.tif 000005
(57)【要約】      （修正有）【課題】ポールを収める必要がある従来のテントよりも、利便性が高く、占有スペースが小さい空気膨張式テントを提供する。【解決手段】空気膨張式テントは、空気充填ポール８及びテントを含み、テントは、底部布地２の４つの縁部に左側布地１、フロント布地５、右側布地７及びリア布地９が接続され、テントの内部に空気充填ポールが設けられ、フロント布地にはドア４が開けられ、ドアにはドア布地３が接続され、空気充填ポールの底部には空気充填ノズルが設けられる。【選択図】図１
0003231584.tif 000002
【実用新案登録請求の範囲】
【請求項１】
空気充填ポール（８）及びテント（２０）を含む空気膨張式テントであって、
前記テント（２０）は、底部布地（２）の４つの縁部に左側布地（１）、フロント布地（５）、右側布地（７）、及びリア布地（９）が接続されたものであり、テント（２０）の内部には空気充填ポール（８）が設けられ、前記フロント布地（５）にはドア（４）が開けられ、ドア（４）にはドア布地（３）が接続され、前記空気充填ポール（８）の底部には空気充填ノズル（６）が設けられる、ことを特徴とする空気膨張式テント。
【請求項２】
前記空気充填ノズル（６）には蓋（６１）が設けられている、ことを特徴とする請求項１に記載の空気膨張式テント。
【請求項３】
前記左側布地（１）にはメッシュパネル（１０）が設けられている、ことを特徴とする請求項１に記載の空気膨張式テント。
【考案の詳細な説明】
【技術分野】
【０００１】
本考案は、テントの技術分野に関し、具体的には、空気膨張式テントに関する。
【背景技術】
【０００２】
テントは、地面に設置されて風、雨や日光を防ぎ、一時的なシェルターとして機能する。一般的には、帆布と支持具で製造される。
市販されているテントでは、ロープを張ったり、骨組を立てたりする必要があるため、面倒であり、このため、空気膨張式テントが提案されている。
【考案の概要】
【考案が解決しようとする課題】
【０００３】
本考案の目的は、上記背景技術に記載の問題を解决するために空気膨張式テントを提供することである。
【課題を解決するための手段】
【０００４】
上記目的を達成するために、本考案は下記技術案を提供する。空気充填ポール及びテントを含む空気膨張式テントであって、
前記テントは、底部布地の４つの縁部に左側布地、フロント布地、右側布地、およびリア布地が接続されたものであり、テントの内部には空気充填ポールが設けられ、前記フロント布地にはドアが開けられ、ドアにはドア布地が接続され、前記空気充填ポールの底部には空気充填ノズルが設けられる。
【０００５】
好ましくは、前記空気充填ノズルには蓋が設けられる。
【０００６】
好ましくは、前記左側布地にはメッシュパネルが設けられる。
【考案の効果】
【０００７】
従来技術に比べて、本考案の有益な効果は以下のとおりである。該空気膨張式テントは、空気充填ポールを用いてテントを立てるため、ロープを張ったり、骨組を立てたりする必要がある従来のテントよりも簡便になり、テントを収めるときに直接排気すると収納することができ、このため、ポールを収納する必要がある従来のテントよりも、簡便で効率的であり、占有スペースが小さいなどの利点を有する。
【図面の簡単な説明】
【０００８】
【図１】本考案の解体構造模式図である。
【図２】本考案の全体構造模式図である。
【考案を実施するための形態】
【０００９】
以下、本考案の実施例の図面を参照しながら、本考案の実施例の技術案を明確かつ完全に説明するが、もちろん、説明する実施例は本考案の実施例の一部に過ぎず、すべての実施例ではない。当業者が本考案の実施例に基づいて、創造的な努力を必要とせずに得られる他の実施例は、すべて本考案の実用新案登録請求の範囲に属する。
【００１０】
図１〜２に示すように、本考案は、技術案として、空気膨張式テントを提供する。テント２０は、底部布地２の４つの縁部に左側布地１、フロント布地５、右側布地７、及びリア布地９が接続されたものであり、テント２０の内部には空気充填ポール８が設けられ、フロント布地５にはドア４が開けられ、ドア４にはドア布地３が接続され、空気充填ポール８の底部には空気充填ノズル６が設けられ、メッシュパネル１０を介して外界と空気を交換する。また、メッシュパネル１０により蚊が空気膨張式テントの内部に入ることを回避する。
【００１１】
作動原理
このような空気膨張式テントに関しては、空気膨張式テントを平坦な地面にセットし、空気充填ポンプを空気充填ノズル６に接続して空気を充填し、空気充填ポール８が満たされている状態となると、空気充填ノズル６をシールし、空気膨張式テントに入り、ドア布地３を閉じることができ、空気膨張式テントでは、内部がメッシュパネル１０を介して外界と空気を交換し、メッシュパネルにより蚊が空気膨張式テントの内部に入ることを回避し、取り外す際には、空気充填ノズル６を開いて、空気充填ポール８の内部の気体をすべて排出した後、空気膨張式テントを折りたたんで収納すればよく、このように、空気膨張式テントの使用は完了する
【００１２】
本考案の実施例を例示的に説明したが、当業者が理解できるように、本考案の原理及び趣旨を逸脱することなくこれらの実施例に対してさまざまな変化、修正、置換や変形を行うことができ、本考案の範囲は添付の実用新案登録請求の範囲及びその等同物により限定される。
【符号の説明】
【００１３】
１、左側布地
２、底部布地
２０、テント
３、ドア布地
４、ドア
５、フロント布地
６、空気充填ノズル
６１、蓋
７、右側布地
８、空気充填ポール
９、リア布地
１０、メッシュパネル
【図１】
0003231584.tif 000003
【図２】
0003231584.tif 000004
(57)【要約】【課題】多数枚のレジ袋を嵩張ることなく手軽にポケットに収納して携帯でき、必要に応じて１枚ずつ簡単に取り出して使用できるポケットタイプのレジ袋を提供すること。【解決手段】ポケットタイプレジ袋１は、ポケットティッシュのようなコンパクトな寸法の包装袋２に複数枚のレジ袋３が収納されており、ポケット等に入れて手軽に携帯できる。また、使用時には、包装袋２をミシン目２２に沿って切り離すとレジ袋取出し口２３が開き、収納されているレジ袋３を１枚ずつ簡単に取り出すことができる。複数枚のレジ袋３が収納されているので、各種の用途に用いることができ便利である。【選択図】図１
0003231565.tif 000002
【実用新案登録請求の範囲】
【請求項１】
紙製あるいはプラスチックフィルム製の矩形の包装袋と、
前記包装袋に形成したレジ袋取出し口と、
前記レジ袋取出し口から取り出し可能な状態で、前記包装袋の内部に折り畳まれた状態で収納されている複数枚のレジ袋と、
を備えていることを特徴とするポケットタイプレジ袋。
【請求項２】
前記包装袋に付けた一定長さのミシン目を備えており、
前記レジ袋取出し口は、前記包装袋を前記ミシン目に沿って切り離すことによって開口するようになっている請求項１に記載のポケットタイプレジ袋。
【請求項３】
前記レジ袋は、持ち手およびマチ付きの袋である請求項１または２に記載のポケットタイプレジ袋。
【請求項４】
前記レジ袋は、ポリエチレン製のフィルムからなり、
前記レジ袋の内側表面はエンボス加工面である請求項１、２または３に記載のポケットタイプレジ袋。
【考案の詳細な説明】
【技術分野】
【０００１】
本考案は、多数枚のレジ袋を携帯するのに便利なポケットタイプのレジ袋に関する。
【背景技術】
【０００２】
レジ袋の有料化に伴い、スーパーマーケット、コンビニエンスストア等での会計時に、エコバック（登録商標）を持参するか、袋を購入するか、あるいは購入商品をそのまま手持ちで帰るのかを選択することが必要になっている。
【０００３】
特許文献１には、携帯しやすいレジ袋包装体が提案されている。このレジ袋包装体は、折り畳まれた１枚のレジ袋がプラスチックフィルム製の包装体に収納されており、容量の大きなレジ袋を嵩張らずに携帯できる。
【先行技術文献】
【特許文献】
【０００４】
【特許文献１】実用新案登録第３２２９０９４号公報
【考案の概要】
【考案が解決しようとする課題】
【０００５】
レジ袋（プラスチックフィルム製の袋）は、ちょっとした買い物時だけでなく、その他の外出時や車内でのごみ入れ、ペットの散歩での汚物入れ等として、日常生活において広く利用されている。このようにレジ袋は広く利用されているので、多数枚のレジ袋を手軽に携帯できると便利である。
【０００６】
本考案の目的は、この点に鑑みて、多数枚のレジ袋を嵩張ることなく手軽にポケットに収納して携帯でき、必要に応じて１枚ずつ取り出して使用できるポケットタイプのレジ袋を提供することにある。
【課題を解決するための手段】
【０００７】
上記の課題を解決するために、本考案のポケットタイプレジ袋は、
紙製あるいはプラスチックフィルム製の矩形の包装袋と、
前記包装袋に形成したレジ袋取出し口と、
前記レジ袋取出し口から取り出し可能な状態で、前記包装袋の内部に折り畳まれた状態で収納されている複数枚のレジ袋と、
を備えていることを特徴としている。
【０００８】
レジ袋取出し口は、例えば、包装袋の一部において、相互に重ね合わせた紙部分あるいはフィルム部分の間に形成されたスリットとすることができる。通常は、包装袋に付けた一定長さのミシン目を利用することができる。包装袋をミシン目に沿って切り離すことで、レジ袋取出し口が開口する。
【０００９】
本考案のポケットタイプレジ袋は、ポケットティッシュのようなコンパクトな寸法の包装袋に複数枚のレジ袋が収納されており、ポケット、かばん等に入れて手軽に携帯できる。また、使用時に、包装袋をミシン目に沿って切り離すとレジ袋取出し口が開き、収納されているレジ袋を１枚ずつ取り出すことができる。複数枚のレジ袋が収納されているので、各種の用途に用いることができ便利である。
【００１０】
ここで、レジ袋は、所定の収納容量を確保でき、持ち運びにも便利なように、持ち手およびマチ付きの袋であることが望ましい。
【００１１】
レジ袋は、例えば、ポリエチレン製のフィルムから形成した袋である。プラスチックフィルム製の袋は張り付いて簡単に口を開けることができないことがある。包装袋から取り出したレジ袋の口を簡単に開けることができるように、レジ袋の袋内側表面がエンボス加工面となっていることが望ましい。
【図面の簡単な説明】
【００１２】
【図１】本考案を適用したポケットタイプレジ袋を示す説明図、レジ袋を取り出す状態を示す説明図、取り出して広げたレジ袋を示す説明図である。
【考案を実施するための形態】
【００１３】
以下に、図面を参照して本考案の実施の形態に係るポケットタイプレジ袋を説明する。
【００１４】
図１（ａ）は実施の形態に係るポケットタイプレジ袋を示す説明図である。ポケットタイプレジ袋１は、包装袋２に、複数枚、例えば１０枚のレジ袋３が収納された構成となっている。包装袋２は、プラスチックフィルムからなり、ポケットティッシュと同程度の大きさの矩形輪郭の袋である。包装袋２の表面２１の中央には、長さ方向に向けて、直線状にミシン目２２が付いている。
【００１５】
包装袋２の表面２１の部位を、ミシン目２２を中心として幅方向に押し広げると、ミシン目に沿って包装袋２が一定の長さだけ破れる。図１（ｂ）に示すように、破れたミシン目２２の部分がレジ袋取出し口２３として開く。このレジ袋取出し口２３から、包装袋２に収納されているレジ袋３を取り出すことができる。
【００１６】
レジ袋３は、包装袋２に収納可能な大きさに折り畳まれて重なった状態で収納されている。レジ袋取出し口２３から１枚ずつ折り畳まれた状態のレジ袋３を取り出して広げて使用する。なお、包装袋２の内部に、相互に部分的に折り重なった積層状態でレジ袋３を収納しておいてもよい。この場合には、１枚のレジ袋３を取り出すと、その下側に積層されている次の１枚のレジ袋３の一部がレジ袋取出し口２３から引き出された状態になる。
【００１７】
図１（ｃ）に示すように、レジ袋３は、例えば、ポリエチレンフィルム製であり、両側にループ状の持ち手３１を備えており、また、両側の部分に内側に折り込まれたマチ３２が付いている。また、レジ袋３の内側表面はエンボス加工面となっている。これにより、レジ袋３が張り付いて、その開口部３３を簡単に開くことができないという不便さが解消される。
【００１８】
以上説明したように、ポケットタイプレジ袋１は、多数枚のレジ袋３がコンパクトに収納されており、ポケット等に入れて手軽に携帯できる。よって、ポケットタイプレジ袋１は、ちょっとした買い物時だけでなく、その他の外出時や車内でのごみ入れ、ペットの散歩での汚物入れ等として、手軽に利用でき、便利である。
【符号の説明】
【００１９】
１  ポケットタイプレジ袋
２  包装袋
３  レジ袋
２１  表面
２２  ミシン目
２３  レジ袋取出し口
３１  持ち手
３２  マチ
３３  開口部
【図１】
0003231565.tif 000003
(57)【要約】      （修正有）【課題】安価なフェイスシールドを提供する。【解決手段】フェイスシールドは、一般の人の頭に合わせて左右３５０ｍｍ天地２９７ｍｍという完成形で設計し、一枚の透明シートを型抜きした。本体１の上部に両端を残して横一線の切り込み２を入れて帯を形成し、帯を後ろに湾曲させる。帯から下の透明シートの左右の縦に延びる折り線７、８を山折りする事で前面に飛び出す形が形成される。【選択図】図１
0003231541.tif 000002
【実用新案登録請求の範囲】
【請求項１】
一枚の透明シート（厚さ０．２ｍｍ〜０．５ｍｍ）を設計の形に打ち抜き、人の頭部に被せて、その前面の透明シートにより人の顔面の額から目鼻口及び顎までを覆う構造体を提供する。
【考案の詳細な説明】
【技術分野】
【０００１】  本考案は人の口から発する飛沫を防ぐ為の顔面を覆う一枚の透明なシートに関するものである。
【背景技術】
【０００２】  人の発する飛沫により伝染する細菌等を防ぐフェイスシールドは多くの形式で見受けられる。
【考案の概要】
【考案が解決しようとする課題】
【０００３】  フェイスシールドの多くは頭に取り付ける構造で頭部に固定する手段として平ゴムをフック留めした構造又はメガネとＰＥＴを組み合わせたタイプ等、総て本考案に比べて単価が高い課題があった。
【課題を解決するための手段】
【０００４】  本考案は一般の人の頭に合わせて左右３５０ｍｍ天地２９７ｍｍという完成形で設計し、一枚の透明シートを型抜きしたのみ。故に安価に提供出来るものである。
【考案の効果】
【０００５】  本考案は頭部の大きさの違いに対応する設計として頭頂部の切り込みの左右につなぎを設け、切り込みの長さを調整出来る。故に、子供から大人まで対応出来るものである。【０００６】  本考案は軽量の為、頭部に装着した後頭を激しく動かしても外れない。【０００７】  頭部に被せた際に設計上透明シートの下部先端は顔から１５０ｍｍ離れるので、鼻及び口からの呼吸の息はシートに遮られる事がないので息苦しさを感じない。又蒸れ及び内部に滞留した人の呼気によるシート内の曇りが発生しない。【０００８】  シート中央より１７０ｍｍ左右に設けられた２本の縦の折り線により、装着した際その上部に人の額との間に２箇所の隙間が生じるので、呼気の逃げ道となる。【０００９】  本考案のフェイスシールドは、装着したまま帽子を被ることが可能である。【００１０】  本考案のフェイスシールドは、ペットフィルム使用の為水洗いして何度でも使用することが出来る。
ることが出来る。【００１１】  本考案のフェイスシールドは、廃棄の際フェイスシールド中央より２００ｍｍの縦の折り線２本を逆に折って外気に面した部分を内側にしその上部の重なった部分にテープを貼り跳ね返りを防ぎ、菌等が付着した外面に触れることなく安全廃棄出来る。
【図面の簡単な説明】
【００１２】
【図１】本考案の正面図である。
【図２】本考案の実施例を示す斜視図である。
【考案を実施するための形態】
【００１３】  本考案を使用する際、上部左右の折り線３と４を山折りし且つ折り線５と６を谷折して、上部の左右に延びる切り込み２を後ろに湾曲させる。次に顔を覆う部分の左右の二條の折り線７と８を山折りする事で前面に飛び出す形が形成される。
【実施例】
【００１４】  上述の形が形成される事により、人の頭に固定され同時に人の顔を覆うフェイスシールドが形成される。【００１５】  本考案を使用する際、大きな頭部に対応して切り込み２の左右に施してある３ｍｍのつなぎ９と１０をカットし更に折り線１１と１２を山折りし頭部に装着する。
【符号の説明】
【００１６】１  本体
２  切り線
３  折り線
４  折り線
５  折り線
６  折り線
７  折り線
８  折り線
９  つなぎ
１０  つなぎ
１１  折り線
１２  折り線
【図１】
0003231541.tif 000003
【図２】
0003231541.tif 000004
【手続補正書】
【提出日】令和2年10月29日(2020.10.29)
【手続補正１】
【補正対象書類名】実用新案登録請求の範囲
【補正対象項目名】全文
【補正方法】変更
【補正の内容】
【実用新案登録請求の範囲】
【請求項１】
一枚の透明シートを設計の形に打ち抜き人の頭部に被せることにより、人の顔面の額から目鼻口及び顎までを覆う形状を有する簡易組立フェイスシールド。
【手続補正書】
【提出日】令和2年12月29日(2020.12.29)
【手続補正１】
【補正対象書類名】実用新案登録請求の範囲
【補正対象項目名】全文
【補正方法】変更
【補正の内容】
【実用新案登録請求の範囲】
【請求項１】
一般的な人の顔前面を覆うサイズの透明シートの上部に両端を残して横一線の切り込みを入れて帯を形成しこの帯を後ろに湾曲させ、対して帯から下の透明シートの左右の縦に延びる折り線を山折りする事で前面に飛び出す形が形成され、人の頭部に被せる事で帯は後頭部を支え前面の透明シートは目鼻口及び顎までを覆う形状を有する簡易組立フェイスシールド。
(57)【要約】      （修正有）【課題】膣内洗浄機能を持たせたトイレの便座装置を提供する。【解決手段】便器１００の上開口部１０１の上に腰掛便座２００と、便蓋と尻洗い機３００を備えたトイレの便座装置において、尻洗い機３００の尻洗浄シャワー管３０１の後部に分岐管３０２を連結して機外に取り出し、この分岐管３０２には調節弁３０３を設けると共にその先部に膣洗いシャワーノズル３０４を設けた。【選択図】図１
0003231550.tif 000002
【実用新案登録請求の範囲】
【請求項１】
便器（１００）の上開口部（１０１）の上に腰掛便座（２００）と、便蓋（６００）と尻洗い機（３００）を備えたトイレの便座装置において、前記尻洗い機（３００）の尻洗浄シャワー管（３０１）の後部に分岐管（３０２）を連結して機外に取り出し、この分岐管（３０２）には調節弁（３０３）を設けると共にその先部に膣洗いシャワーノズル（３０４）を設けたことを特徴とするトイレの便座装置。
【考案の詳細な説明】
【技術分野】
【０００１】  本考案は、尻洗い機に膣洗い機能を持たせたトイレの便座装置に関する。
【背景技術】
【０００２】  従来、図２に示すトイレの便座装置がある。このトイレの便座装置は、便器１００の上開口部１０１の上に脚部２０１〜２０４付の腰掛便座２００と、便蓋６００と上開口部１０１の後部に尻洗い機３００を備えている。【０００３】  前記尻洗い機３００は、用便が済めば、水洗シャワーノズル３０１を尻下にシフトして肛門や会陰・陰核や陰唇・膣口等を水洗する。水洗シャワーノズル３０１からは温水が出されるようになっている。
しかしながら、この尻洗い機３００では女性の膣内洗浄はできない。
【考案の概要】
【考案が解決しようとする課題】
【０００４】  本考案は、膣内洗浄機能を持たせたトイレの便座装置を提供する。
【課題を解決するための手段】
【０００５】  上記課題を満足させる本考案における主な技術構成は、次の（１）の通りである。
（１）、便器１００の上開口部１０１の上に腰掛便座２００と、便蓋６００と尻洗い機３００を備えたトイレの便座装置において、前記尻洗い機３００の尻洗浄シャワー管３０１の後部に分岐管３０２を連結して機外に取り出し、この分岐管３０２には調節弁３０３を設けると共にその先部に膣洗いシャワーノズル３０４を設けたことを特徴とするトイレの便座装置。
【考案の効果】
【０００６】  本考案のトイレの便座装置は、前記膣洗いシャワーノズル３０４をハンディタイプにして用便後や性交後に便座に座りながら膣洗いシャワーノズル３０４を膣内に装入して手元の調節弁を３０３の操作で温水等を所望の水量で膣内に注入して洗浄して清潔にすることを可能にした優れた作用効果を呈するものである。
調節弁を３０３は強弱の調節が出来るようにすることが可能である。
【図面の簡単な説明】
【０００７】
【図１】本考案の実施例を示す全体を斜め前方から見た鳥瞰説明図である。
【図２】特許文献１に記載のトイレの便座装置の斜視説明図。
【考案を実施するための形態】
【０００８】本考案を実施するための形態を図１に示す実施例により詳細に説明する。
図１において、本例のトイレの便座装置は、便器１００の上開口部１０１の上に腰掛便座２００と、便蓋６００と通常の用便に肛門や会陰・陰核や陰唇・膣口等を水洗する尻洗い機３００を備えてある。
このトイレの便座装置において、尻洗い機３００は水道管４００にヒーター３０９を介して尻洗浄シャワー管３０１を連結する。ヒーター３０９の出口の分岐管にはフレキシブル分岐管３０２を連結して機外に取り出し、この分岐管３０２には調節弁３０３を設けると共に先部に膣洗いシャワーノズル３０４を設けてある。図中５００は尻洗い機３００のコントローラーである。
【０００９】  膣洗いシャワーノズル３０４は、Ｌ型グリップ３０５の前部に設けたハンディタイプである。そして膣洗いシャワーノズル３０４の本体は、硬質管か軟質管３０６にシャワー孔３０７を設け、その外面には柔らかいラテックス・ポリウレタン・イソプレンラバー等をコーティング層３０８して膣内挿入が円滑容易に可能にしてある。
【産業上の利用可能性】
【００１０】  本考案の一般家庭では勿論、トイレ産業に寄与と発展に貢献すること多大なものがある。
【符号の説明】
【００１１】    １００：便器
１０１：上開口部
２００：腰掛便座
２０１，２０２，２０３．２０４：載置足
３００：便蓋
３０１：尻洗浄シャワー管
３０２：フレキシブル分岐管
３０３：調節弁を
３０４：膣洗いシャワーノズル
３０５：Ｌ型グリップ
３０７：シャワー孔
３０８：コーティング
３０９：ヒーター
４００：水道管
５００：コントローラー
６００：便蓋
【図１】
0003231550.tif 000003
【図２】
0003231550.tif 000004
(57)【要約】      （修正有）【課題】２つのワッペンを組み合わせ、その間に紙を挟むことによって、プラスチックや木製の棚や壁など、磁石が付かない場所にも紙を挟むことができるワッペンを提供する。【解決手段】薄い鉄の板を内包させたシール状の第２のワッペンと、マグネットを内包させた第１のワッペンを磁性により貼り合わせ、その間に紙を挟む。磁石が付かない場所にも紙を挟むことができ、デザイン性にも優れる。【選択図】図４
0003231548.tif 000002
【実用新案登録請求の範囲】
【請求項１】
刺しゅう地と裏張りよりなる第１のワッペンにマグネットを内包させ、同様に刺しゅう地と裏張りよりなる第２のワッペンに薄い鉄の板を内包させ、第１のワッペンが第２のワッペンに磁性で貼りつき、第２のワッペンの裏張りに粘着性のシール材料を備えたワッペン。
【考案の詳細な説明】
【技術分野】
【０００１】      本考案は、マグネットと鉄板を内包する２つのワッペンに関する。
【背景技術】
【０００２】      従来、文具用マグネットは紙などを一時的に挟んで貼り付ける用途として広く用いられている。
【考案の概要】
【考案が解決しようとする課題】
【０００３】      従来、文具用マグネットは紙などを一時的に挟んで貼り付ける用途として広く用いられているが、鉄など磁石の付く素材が含まれたキャビネットなどにしか使用できず、家庭の中によくあるプラスチック製やステンレス製あるいは木の棚や壁など、磁石が付かない素材のものには使用できないため、使用できる場所が限られていた。どうしても貼りたい場合にはテープなどで貼り付けたり、画鋲を使用するしかなかったが、テープは剥がす際に紙を痛めたり、画鋲は壁に穴が空いたりする問題があった。
【課題を解決するための手段】
【０００４】      刺しゅう地と裏張りよりなる第１のワッペンにマグネットを内包させ、同様に刺しゅう地と裏張りよりなる第２のワッペンに薄い鉄の板を内包させ、第１のワッペンが第２のワッペンに磁性で貼りつき、第２のワッペンの裏張りに粘着性のシール材料を備えたワッペンを提供する。
【考案の効果】
【０００５】      以上のように、本考案によれば、第１のワッペンと第２のワッペンを組み合わせ、その間に紙を挟み、第２のワッペンの裏面によるシールで貼ることによって、従来、磁石が付かない素材のものなどマグネットが付かない場所にも紙を挟むことができる。
また、従来のマグネットは赤や青等の丸いプラスチック製のシンプルなものが多いが、ワッペンにすることによって様々なデザイン性のあるマグネットを提供できる。
【図面の簡単な説明】
【０００６】
【図１】本考案の第１のワッペンの構成の説明図
【図２】本考案の第２のワッペンの構成の説明図
【図３】本考案の第２のワッペンの断面を示す説明図
【図４】本考案の使用状態を示す説明図
【考案を実施するための形態】
【０００７】            図１は本考案の第１のワッペンの構成の説明図である。図１においては、１は刺しゅう地である。２は磁石である。３は裏張り用の生地である。
図２、図３においては、４は刺しゅう地である。５は鉄板である。６は裏張り用の生地である。７は接着フィルムである。図４において、８は紙である。図１による第１のワッペンと図２による第２のワッペンで８の紙を挟むことができる。
【０００８】      第１のワッペンを作成する。中に薄型のマグネットを入れる。第１のワッペンは第２のワッペンより少し小さめにする。第１のワッペンの裏面はフェルトなどでもよいが、磁石が付きやすくするため、タフタなどより薄い生地の方が好ましい。
また、第２のワッペンの中に入れるのは鉄板ではなく、磁性のあるステンレスや薄いマグネットなど、磁石が付くものでもかまわない。
【０００９】      第２のワッペンと第１のワッペンを組み合わせ、その間に紙を挟むことによって、従来、家庭の中によくあるプラスチックや木製の棚や壁など、磁石が付かない素材のものなどマグネットが付かない場所にも紙を挟むことができるワッペンを作成する。
【００１０】      また、従来マグネットは赤や青等の丸いプラスチック製のシンプルなものが多いが、ワッペンにすることによって様々なデザイン性を持たせることができる。第１のワッペンと第２のワッペンのデザイン性に関連を持たせることで、装飾性を増すことができる。
【００１１】      第１のワッペンと第２のワッペンは刺しゅうに限らず、プリント、アップリケなどにすることもできる。
【００１２】      本考案で企業のロゴマークやキャラクターなど様々なデザインを表現することができ、マグネットで紙を挟むという特性から、常に目につき捨てられにくいため、企業の広告やノベルティーグッズとしての利用にも適している。
【符号の説明】
【００１３】      １  第１のワッペンの刺しゅう地
２  第１のワッペンの磁石
３  第１のワッペンの裏張り
４  第２のワッペンの刺しゅう地
５  第２のワッペンの鉄板
６  第２のワッペンの裏張り
７  粘着性のシール材料
８  紙
【図１】
0003231548.tif 000003
【図２】
0003231548.tif 000004
【図３】
0003231548.tif 000005
【図４】
0003231548.tif 000006
(57)【要約】      （修正有）【課題】便器本体の上に設けた腰掛便座と便蓋を簡単に手で開閉可能にし、且つ腰掛便座の前部の載置足間の隙間から尿が放出しないようにしたトイレの便座装置を提供する。【解決手段】便器１００の上開口部１０１の縁部の両側部各々に載置足２０１、２０２、２０３、２０４を介して開閉可能に載置する腰掛便座２００と、この腰掛便座２００を開閉可能に覆う便蓋３００を備えたトイレの便座装置において、腰掛便座２００及び便蓋３００に開閉用取手２０５、３０１を突設すると共に、腰掛便座２００の前部両載置足２０１、２０２間に同載置足と同じ高さの尿放出防止スペーサー４００を設けた。【選択図】図１
0003231549.tif 000002
【実用新案登録請求の範囲】
【請求項１】
便器（１００）の上開口部（１０１）の縁部の両側部各々に載置足（２０１，２０２  １，２０３，２０４）を介して載置する腰掛便座（２００）と、この腰掛便座（２００）を開閉可能に覆う便蓋（３００）を備えたトイレの便座装置において、前記腰掛便座（２００）及び便蓋（３００）に開閉用取手（２０１）（３０１）を突設したことを特徴とするトイレの便座装置。
【請求項２】
前記腰掛便座（２００）の前部下面の両載置足（２０１，２０２）間に同載置足と同じ高さの尿放出防止スペーサー（４００）を設けたことを特徴とする請求項１に記載のトイレの便座装置。
【考案の詳細な説明】
【技術分野】
【０００１】  本考案は、便器の上に設けた腰掛便座と便蓋を簡単な機構で開閉可能にし、且つ腰掛便座の前部下面の載置足間の隙間から尿が放出しないようにしたトイレの便座装置に関する。
【背景技術】
【０００２】  トイレの便座装置における腰掛便座や便蓋の開閉には、従来、特許文献１にて紹介されている自動開閉装置がある。
この自動開閉装置の特徴は「便器の上に設置される本体部と、前記本体部に回転可能に軸支された腰掛便座または便蓋のうち少なくともいずれか一方を含む便体と、モータを有し、前記モータの出力により前記便体を電動開閉する電動開閉機構と、前記便体の開動作速度を検出する速度検出部と、前記電動開閉機構を制御する制御部と、を備え、前記制御部は、前記速度検出部によって前記便体の開動作速度を検出する速度検出工程と、前記速度検出工程の検出結果に基づいて、前記便体の開動作速度が設定速度よりも遅いか速いかを判定する速度判定工程と、前記速度判定工程の判定結果に基づいて、前記便体の開動作速度が前記設定速度に近づくように前記モータの出力を変更する出力変更工程と、を有しており、前記速度判定工程によって、前記便体の開動作速度が遅いことを１回のみ検知した場合には、前記出力変更工程を実行せず前記速度判定工程によって、前記便体の開動作速度が遅いことを複数回検知した場合には、前記出力変更工程を実行することを特徴とする便座装置。」である。【０００３】  しかしながらこのような自動開閉装置付きのトイレの便座装置は、複雑な開閉機構と開閉制御回路が必要であり、製造コストが嵩み、またメンテナンスにもランニングコストが多額に掛かり一般家庭向きではない。
また、腰掛便座は、便器（１００）の上開口部（１０１）の縁部の両側部各々に載置足を介して開閉可能に載置するので、腰掛便座の前部下面と便器の上開口部の縁部上面との間に載置足高さの隙間が生じる。この隙間が、特に男性が座って小便をする方向になり、この隙間から便器外に尿が放出してしまいトイレ内を尿汚染する。
【先行技術文献】
【特許文献】
【０００４】
【特許文献１】特開２０２０−１１４２７６号
【考案の概要】
【考案が解決しようとする課題】
【０００５】  本考案は、便器本体の上に設けた腰掛便座と便蓋を簡単に手で開閉可能にした簡単構成により大幅な製造コスト削減とランニングコストを著しく軽減し、且つ腰掛便座の前部の載置足間の隙間から尿が便器外に放出しないようにしたトイレの便座装置を提供する。
【課題を解決するための手段】
【０００６】  上記課題を満足させる本考案における主な技術構成は、次の（１）〜（２）の通りである。
（１）、便器１００の上開口部１０１の縁部の両側部各々に載置足２０１，２０２  １，２０３，２０４を介して載置する腰掛便座２００と、この腰掛便座２００を開閉可能に覆う便蓋３００とを備えたトイレの便座装置において、前記腰掛便座２００及び便蓋３００に開閉用取手２０１、３０１を突設したことを特徴とするトイレの便座装置。
（２）、前記腰掛便座２００の前部下面の両載置足２０１，２０２間に同載置足と同じ高さの尿放出防止スペーサー４００を設けたことを特徴とする前記（１）に記載のトイレの便座装置。
【請求項２】
【考案の効果】
【０００７】  本考案のトイレの便座装置は、便器本体の上に設けた腰掛便座と便蓋を前記開閉用取手２０１、３０１により簡単に手で自由に開閉操作することを可能にして大幅な製造コスト削減とランニングコストを著しく軽減したものである。叉、腰掛便座の前部の載置足間の隙間には、腰掛便座の前部下面に直接取り付けた前記尿放出防止スペーサー４００により尿が便器外に放出することを確実に防止して尿汚染を防止し異臭の無い清潔感を維持するのである。
【図面の簡単な説明】
【０００８】
【図１】本考案の実施例１を示す全体を斜め前方から見た鳥瞰説明図である。
【考案を実施するための形態】
【０００９】本考案を実施するための形態を図１に示す実施例により詳細に説明する。
図１において、本例のトイレの便座装置は、便器１００の上開口部１０１の縁部の両側部各々に載置足２０１，２０２を介して開閉可能に載置する腰掛便座２００と、この腰掛便座２００を開閉可能に覆う便蓋３００を備えており、前記腰掛便座２００及び便蓋３００に開閉用取手２０５、３０１を突設すると共に、前記腰掛便座２００の前部下面の両載置足２０１，２０２間に同載置足と同じ高さの尿放出防止スペーサー４００を設けてある。
【００１０】  前記腰掛便座２００の開閉用取手２０５は、腰掛便座２００の成形の際、腰掛便座と一体的に成形設置することが好ましいが、後付けも可能である。
また便蓋３００の開閉用取手３０１も便蓋３００の成形の際、便蓋３００と一体的に成形設置することが好ましいが、後付けも可能である。
更に尿放出防止スペーサー４００は、前記腰掛便座２００成形の際、腰掛便座２００と一体的に成形設置することが好ましいが、後付けも可能である。
【００１１】  このようにして本例のトイレの便座装置は、開閉用取手２０５、３０１が簡単な単純構成で製作が極めて容易であり、大幅な製造コスト削減とランニングコストを著しく軽減することができた。叉、腰掛便座の前部下面の載置足２０１，２０２間の隙間には、腰掛便座の前部下面に直接取り付けた前記尿放出防止スペーサー４００により尿が便器外に放出することを確実に防止して尿汚染を防止し異臭の無い清潔感を維持することができた。
【産業上の利用可能性】
【００１２】  本考案の一般家庭では勿論、トイレ産業に寄与と発展に貢献すること多大なものがある。
【符号の説明】
【００１３】    １００：便器
１０１：上開口部
２００：腰掛便座
２０１，２０２，２０３．２０４：載置足
３００：便蓋
２０５，３０１：開閉用取手
４００：尿放出防止スペーサー
【図１】
0003231549.tif 000003
(57)【要約】      （修正有）【課題】飲食店等（特に飲酒を伴う店舗）において、ウィルスの感染防止の観点から大きな声での会話に対して警告を行う警告機能付きメニュースタンドを提供する。【解決手段】警告機能付きメニュースタンドはメッセージボード２と音量測定器６、照明器具７及びスピーカー５を有し、やや大きな声を感知するとメッセージボード２が光り注意を促す。さらに大きな音量を感知するとスピーカー５からブザー等の警告音を発生することにより、当事者が大きな声でしゃべっている事に気付き、静かに会食する習慣を定着させる事に役立つ。【選択図】図２
0003231546.tif 000002
【実用新案登録請求の範囲】
【請求項１】
メニュー表を差し込む溝構造を有する支持部と、該支持部を固定する土台部からなるメニュースタンドにおいて、該支持部がメッセージボードを差し込む追加の溝構造を有し、該土台部が音声を感知・測定する判定具を有し、検知した音量が設定した値を超した場合に、照明・ブザー音または音声メッセージの警告を発する警告具を有した構造であることを特徴とする警告機能付きメニュースタンド。
【考案の詳細な説明】
【技術分野】
【０００１】  本考案は、音声を感知し音量に応じて警告を発する警告機能付きメニュースタンドに関するものである。
【背景技術】
【０００２】  従来より、室内全体の騒音を測定して警告を発したり記録する設備は存在するが、個々のテーブルや座席での騒音を測定し警告するような装置は存在しない。
【考案の概要】
【考案が解決しようとする課題】
【０００３】  飲食店等において、特に飲酒を伴う居酒屋・スナック・レストラン等では会食時についつい大きな声での会話になり易く、新型コロナウィルスなどの飛沫感染を防ぐためには、最も危険な状況と言われています。店側は注意する立場ではあるが、客離れを気にして余程の親しい客でなければ注意し難いし、また、近隣に同席する客もまたトラブルを恐れて注意しづらいなど、効果的な対策が無い状況である。
【課題を解決するための手段】
【０００４】  本考案は、前述のメニュースタンドの土台部分に音量センサーと警告用の照明器具及びブザー等を設け、大きな声を感知するとまず照明部分が発光し、メッセージカードを照射して注意喚起を行う。さらに大きな音量の声を感知するとブザー等が警告音を発して更に強い注意喚起を行う。【０００５】  また、該装置には感知する音量の感度を調整するためのツマミと、警告するブザー等の音量を調節するためのツマミを有することで、店ごとの状況に合わせて設定ができる。
【考案の効果】
【０００６】  上述の様に、本考案の警告機能付きメニュースタンドはメニュースタンドのとしての機能は勿論有する上、大きな声での会話を抑制する効果が期待される。
【図面の簡単な説明】
【０００７】
【図１】本考案の警告機能付きメニュースタンドの実施例を示す図である。
【図２】本考案の警告機能付きメニュースタンドの正面図・側面図・底面図である。
【考案を実施するための形態】
【０００８】  本考案のメニュースタンドは大きく分けて、透明アクリル製のメニュースタンド本体部分と電気回路を組み込んだ土台部分とで構成される。該メニュースタンド部分には前面に紙製のメッセージカードを差し込む狭い隙間が有り、背面にはメニュー表を立てる為のやや広い隙間を有する。
土台部分の構造は極力平滑に製作し、アルコール等での除菌が容易にできるようにし、同様に前記の調節ツマミ類も土台の底面に配置する事とする。
【実施例】
【０００９】  以下、添付図面に従って一実施例を説明すると、メッセージカード１はお客に伝えたいメッセージを記入した用紙で、例えば「コロナウィルス対策として、小声での会話をお願いします。」などの表記が考えられる。該メッセージカードの内容は店舗の状況に応じて作成・差し替えが可能で、他国言語での応用もできる。該アクリル板２及び３の構造は一体成型とし、下部から発光するＬＥＤ光源の透過光で明るくなるよう、透明なものを使用する。土台部分４は安定の為に、やや重量のある硬質プラスチックで一体成型する。【００１０】  また、本考案の警告機能付きメニュースタンドは、既存のメニュースタンドと交換するだけで設置が容易である為に採用したものであるが、本考案はこれに限定されるものではない。すなわち、店舗によってはメニュースタンドの設置が必要無い場合もあり、また、同様に飛沫感染のリスクが高いオフィスの休憩室や喫煙室などへの対応として、メニュー表を差し込む機能を省略し、メッセージカードだけを付属させた警告機能付きカードスタンドにしたり、警報機能だけに限定した装置など、設置場所に応じて適宜仕様を変更することが可能である。
【産業上の利用可能性】
【００１１】  現在猛威を振るっている新型コロナウィルス（ＣＯＶＩＴ−１９）対策としてだけでなく、今後発生する可能性のある他の感染症予防としても、十分効果が期待される。本考案により静かに会食するという新しいマナーが定着すれば、安心して飲食をする機会が増え、飲食業界のみならず、幅広い経済活動の継続の一助となると思われる。
【符号の説明】
【００１２】  １  メッセージカード
２  アクリル板前面部分
３  アクリル板背面部分
４  土台部分
５  スピーカー
６  マイク
７  照明器具（ＬＥＤ）
８  マイク感度調整ツマミ
９  スピーカー音量調節ツマミ
１０  電池
【図１】
0003231546.tif 000003
【図２】
0003231546.tif 000004